(57)【要約】【課題】ラック間通路の入口扉部を構成する扉板を、床面への工事を要することなく、簡便かつ確実に垂直保持することができるラック間通路遮へい構造を提供する。【解決手段】本発明のラック間通路遮へい構造は、複数のラック１からなるラック列を対向配置し、該ラック列間に形成されるラック間通路２に、天井部４と入口扉部５と該入口扉部５に対向する位置に設置された背面部を設けて形成されたラック間通路遮へい構造である。入口扉部５は、扉板７とこれを水平方向へスライド可能に吊下げ支持するレール部材６とから構成された吊扉であり、入口扉部側のラック１の側面にガイド部材１５を設け、扉板７と係合して扉板７を吊り下げ位置に垂直保持するようにした。【選択図】図２
2010168769.tif 000002
【特許請求の範囲】
【請求項１】
複数のラックからなるラック列を対向配置し、
該ラック列間に形成されるラック間通路に、天井部と入口扉部と該入口扉部に対向する位置に設置された背面部を設けて形成されたラック間通路遮へい構造であって、
入口扉部は、扉板と該扉板を水平方向へスライド可能に吊下げ支持するレール部材とから構成され、
入口扉部側のラックの側面に、扉板と係合して扉板を吊り下げ位置に垂直保持するガイド部材を設けたことを特徴とするラック間通路遮へい構造。
【請求項２】
扉板は、扉パネルと該扉パネルの外枠を形成する外枠フレームとから構成され、
該外枠フレームに、扉板をスライドさせたときにも常にガイド部材と係合する長さの被係合部が設けられていることを特徴とする請求項１記載のラック間通路遮へい構造。
【請求項３】
ガイド部材が扉板と部分的に係合する幅狭の部材であることを特徴とする請求項１又は２記載のラック間通路遮へい構造。
【発明の詳細な説明】
【技術分野】
【０００１】
本発明は複数のラックをラック列として対向配置し、該ラック列間に設けられた空間を閉空間とする、天井部と入口扉部と該入口扉部に対向する位置に設置された背面部とを有するラック間通路遮へい構造に関するものである。
【背景技術】
【０００２】
近年、企業のＩＴ利用の急激な増加に伴って、ＩＴの電力問題が顕在化している。特に、サーバールーム・データセンターの熱対策に伴う電力消費量が深刻化しつつある。データセンター全体の電力コストの内訳を見ると、サーバーを冷却するための空調コストが、ＩＴ機器の電力コストと同じくらいの比率を占めている。すなわち、ＩＴの電力問題解消のためには、サーバー自体の省電力化と共に、空調効率の改善が求められている。
【０００３】
サーバーの冷却効率を向上する技術としては、複数のラックを冷却空気吸入口が対峙するように向かい合わせ２列に配置し、更に当該ラック列間に形成される空間の上部に天井部を設け、空間の前面および背面に扉や壁を設け、対面したラック列間に密閉空間を形成し、さらに床部に設けた冷気吹き出し口から冷気を吹き出す構造が知られている（特許文献１）。当該密閉空間のうち、少なくとも前面部は入口扉部として構成し、内部のラックへのアクセスを可能とすることが一般的である。
【０００４】
この入口扉部としては、スライド式の扉が採用されており、本出願人は、扉板をレール部材によって水平方向へスライド可能に吊下げ支持する構造を提案している。ところが吊下げ式の扉は、扉板の振れを防止して吊り下げ位置に垂直保持するために、扉板の下部に設けた溝部と嵌合する突起を有するガイド部材が必要であり、サーバールーム・データセンター等の床面に前記ガイド部材を敷設する必要があった。
【０００５】
しかし、サーバールーム・データセンター等の床面の構造によっては、ガイド部材を固定する場所がなく、適切な保持ができないことがあった。また床面にガイド部材を敷設する場合には、ガイド部材が床面上部に突出し、サーバーなどの機器を搭載した台車が入口をスムーズに出入りできない問題が生じることがあった。
【０００６】
そこでこの問題を回避する手段として、床面にガイド部材を埋設する方法も考えられるが、床面への埋設工事は大掛かりな工事となり、コスト面からも好ましくないという問題があった。また、データセンター等の床面の構造によってはサーバールーム・データセンター等の床面に、該レール状のガイド部材を敷設工事することができないこともあった。
【先行技術文献】
【特許文献】
【０００７】
【特許文献１】特開２００４−１８４０７０号公報
【発明の概要】
【発明が解決しようとする課題】
【０００８】
本発明の目的は上記した従来の問題を解決し、複数のラックをラック列として対向配置し、該ラック列間に設けられた空間を閉空間とする床部と天井部と入口扉部と該入口扉部に対向する位置に設置された背面部を有するラック間通路遮へい構造において、入口扉部を構成する扉板を、床面への工事を要することなく、簡便かつ確実に垂直保持することができるラック間通路遮へい構造を提供することである。
【課題を解決するための手段】
【０００９】
上記課題を解決するためになされた本発明のラック間通路遮へい構造は、複数のラックからなるラック列を対向配置し、該ラック列間に形成されるラック間通路に、天井部と入口扉部と該入口扉部に対向する位置に設置された背面部を設けて形成されたラック間通路遮へい構造であって、入口扉部は、扉板と該扉板を水平方向へスライド可能に吊下げ支持するレール部材とから構成され、入口扉部側のラックの側面に、扉板と係合して扉板を吊り下げ位置に垂直保持するガイド部材を設けたことを特徴とするものである。
【００１０】
請求項２記載の発明は、請求項１記載のラック間通路遮へい構造において、扉板は、扉パネルと該扉パネルの外枠を形成する外枠フレームとから構成され、該外枠フレームに、扉板をスライドさせたときにも常にガイド部材と係合する長さの被係合部が設けられていることを特徴とするものである。
【００１１】
請求項３記載の発明は、請求項１又は２記載のラック間通路遮へい構造において、ガイド部材が扉板と係合する幅狭の部材であることを特徴とするものである。
【発明の効果】
【００１２】
本発明のラック間通路遮へい構造は、入口扉部側のラックの側面に、扉板と係合して扉板を吊り下げ位置に垂直保持するガイド部材を設けたものであるから、床面にガイド部材を突出させたり、ガイド部材を埋設させたりする必要がなく、しかも確実に扉板の振れを防止することができる。
【００１３】
請求項２の発明のように、扉板の外枠フレームに扉板をスライドさせたときにも常にガイド部材と係合する長さの被係合部を設けた構造としておけば、扉板を開閉したときにガイド部材との係合が外れることがない。また請求項３の発明によれば、ガイド部材を小型化することができ、外観が見苦しくなることもない。
【図面の簡単な説明】
【００１４】
【図１】第１の実施形態を示す全体斜視図である。
【図２】扉板をのぞいた状態の全体斜視図である。
【図３】扉板を吊り下げるレール部材の断面図である。
【図４】第１の実施形態の要部説明図である。
【図５】第１の実施形態の要部断面図である。
【図６】第１の実施形態のガイド部材の斜視図である。
【図７】第１の実施形態の扉板端部の斜視図である。
【図８】第２の実施形態の全体斜視図である。
【図９】第２の実施形態の要部の斜視図である。
【図１０】第３の実施形態の全体斜視図である。
【図１１】第３の実施形態の要部の斜視図である。
【図１２】第４の実施形態の要部断面図である。
【図１３】第４の実施形態の要部の斜視図である。
【発明を実施するための形態】
【００１５】
以下に本発明の好ましい実施形態を説明する。
図１、図２に示すように、複数のラック１を隣接配置したラック列が対向配置されており、これらのラック列間に形成されるラック間通路２に、床部３と天井部４と入口扉部５と該入口扉部５に対向する位置に設置された背面部を設けてラック間通路遮へい構造が形成されている。従来と同様、ラック間通路２には床下から冷却用空気が供給されており、ラック１はラック間通路２に面する前面側から冷却用空気を吸引してサーバー等の内部機器を冷却し、背面側から排熱する構造となっている。ただし場合によっては、ラック間通路２を排熱通路とし、ラック搭載機器の向きを逆方向として閉空間に暖められた空気排出すると共に、冷気を閉空間の外部より吸気する構造としてもよい。この場合において閉空間の排熱は天井部にダクトを形成し外部に排出するか、若しくはラック列を形成するラック間に冷却装置を設け閉空間を冷却して外部に排出するものとする。
【００１６】
入口扉部５は、ラック列端部の天井付近に水平に設けたレール部材６から扉板７をスライド可能に吊下げ支持した吊り下げスライド式の扉である。レール部材６は１本レールとしてもよいが、この実施形態では左右２本のレール部材６の中央部を、ゴム等からなる制振部材６ａを介して接続した構造となっている。図１、図２ではラック間通路２の両側に入口扉部５が形成されているが、一方は壁によって閉鎖した構造とすることもできる。
【００１７】
図３に示すように、レール部材６は下面に扉吊り下げ用の溝部を備えた押し出し成形品であり、取付金具８によってラック１の天井面に固定されている。このレール部材６の内部には左右にローラ９を備えた走行部材１０が挿入されており、レール部材６の内部にはローラ９と接して扉板７の荷重を支える当接部６ｂが設けられている。
【００１８】
扉板７は、扉パネルと扉パネルの外枠を形成する外枠フレーム１３とから構成されている。扉パネルは透明アクリル板やアルミニウム板等で構成されている。外枠フレーム１３の上部フレームには上記した固定部材１２がねじ止め等により固定されている。また外枠フレーム１３の下部フレームには、図４、図５に示すように後述するガイド部材に対応する被係合部である溝部１４が全幅にわたり形成されている。すなわち、外枠フレーム１３の下部フレームはアルミフレーム等により押出材で形成され、前記溝部１４には一対の互いに内向の爪部１４ａが後述するガイド部材１５のガイド突起１６に対応する間隔で設けられており、ガイド突起１６を挟み込むようにして扉板７がレール部材６を中心に振り子のようにラックの幅方向に振れることを防止している。
【００１９】
一方、入口扉部５側のラック１の側面下部には、図６に示すようなガイド部材１５が設けられている。この実施形態のガイド部材１５は、Ｌ字状の板部材の先端に円柱状のガイド突起１６を上向きに設けたもので、ラック１の側面にネジ止めあるいはスポット溶接等によって固定されている。また、固定手段を強力な両面テープや接着剤等とすれば、現場で即時に対応できるものである。ガイド突起１６は上記した扉板７の溝部１４に係合し、扉板７を吊り下げ位置に垂直保持する機能を発揮するものである。すなわち、前記溝部１４に設けた一対の互いに内向の爪部１４ａがガイド突起１６と当接して、扉板７を水平方向にスライドさせたときに外力が働いた場合でも扉板７がラックの幅方向に振れることなく、垂直な状態を保ったままスライドさせることが可能なものである。また、ガイド突起１６の周面は樹脂部材等で被覆したり、ローラ部材とすることが好ましい。
【００２０】
また、ガイド突起１６を溝部１４に挿入することができるように、扉板７の外枠フレーム１３のうち縦フレームの下端部にも、図７に示す切欠き１７を形成しておく。なお、この実施形態では２枚の扉板７を備えた両開き構造が採用されているため、ガイド部材１５は当然ながら左右のラック１の端面に設けられている。
【００２１】
上記したガイド部材１５は、図２に示すようにラック間通路２に近い部分に設けられている。ガイド部材１５は扉板７の溝部１４と部分的に係合する幅狭の部材であるが、扉板７の溝部１４は全幅にわたって形成されており、扉板７を開閉しても常に扉板７の溝部１４と係合し、扉板７の下部がラックの幅方向に振れることを防止することができる。しかもガイド部材１５はラック１の側面に設けられているため、床部３からガイド部材を突出させたり、床部３にガイド部材１５を埋設させたりする必要がない。なお、上記実施形態では、1つの扉板に対して1つのガイド部材１５を対応させて設けているが、複数個として安定的に扉をガイドするものとしてもよい。
【００２２】
上記した第１の実施形態ではガイド部材１５を幅狭の部材としたが、図８、図９に示す第２の実施形態においては、長尺のガイド部材２０を採用した。このガイド部材２０はＬ字状の板部材の先端に突条２１を形成し、扉板７の溝部１４と係合させた構造である。
上記構造によりスライド途中に不意の外力が働いた場合でも、扉板７の下部がラックの幅方向に振れることをより確実に防止できる。
【００２３】
上記実施形態ではガイド部材のガイド突起１４ａは扉板の下部フレームの下側溝部に係合させたものとしたが、溝部を設けずに下部フレームの側面に当接させる構造としてもよい。
【００２４】
また図１０、図１１に示す第３の実施形態では、ガイド部材３０をラック１の中間高さに設けるとともに、扉板７の中間フレーム３１からレール状の溝部材３２を横向きに突設し、その下面に形成した溝部３３にガイド部材３０を係合させた。
【００２５】
なお、図１２、図１３に示す第４の実施形態のように、ガイド部材４０を溝形状とし、扉板７側からガイド突起４１を突設させた構造としてもよい。ただしこの場合にはガイド部材４０を全幅にわたり形成することが必要となる。
【００２６】
上記した何れの実施形態の場合にも、本発明によれば入口扉部２を構成する扉板７を、床面への工事を要することなく、簡便かつ確実に垂下した状態で水平方向にスライドさせることができる利点がある。
【符号の説明】
【００２７】
１  ラック
２  ラック間通路
３  床部
４  天井部
５  入口扉部
６  レール部材
６ａ  制振部材
６ｂ  当接部
７  扉板
８  取付金具
９  ローラ
１０  走行部材
１１  支持部材
１２  固定部材
１３  外枠フレーム
１４  溝部
１５  ガイド部材
１６  ガイド突起
１７  切欠き
２０  長尺のガイド部材
２１  突条
３０  ガイド部材
３１  中間フレーム
３２  溝部材
３３  溝部
４０  ガイド部材
４１  ガイド突起
【図１】
2010168769.tif 000003
【図２】
2010168769.tif 000004
【図３】
2010168769.tif 000005
【図４】
2010168769.tif 000006
【図５】
2010168769.tif 000007
【図６】
2010168769.tif 000008
【図７】
2010168769.tif 000009
【図８】
2010168769.tif 000010
【図９】
2010168769.tif 000011
【図１０】
2010168769.tif 000012
【図１１】
2010168769.tif 000013
【図１２】
2010168769.tif 000014
【図１３】
2010168769.tif 000015